(57)【要約】【課題】コントローラーより冷媒輸送パイピングの圧力と温度を該コントローラーに格納された圧力限界値と温度限界値との比較を行い、冷媒回収装置をシステム主機の冷媒を精確に冷媒取り出すことができる冷媒回収装置の電子計器を提供する。【解決手段】冷媒回収装置に冷媒輸送パイピングを設け、該冷媒回収装置に電子計器と連結され、該電子計器にコントローラーを設けて、該コントローラーに冷媒回収装置の状態を表示する液晶ディスプレイと、冷媒輸送パイピングの圧力を表示する圧力センサーと、冷媒輸送パイピングの温度を検出する温度センサーとをそれぞれ連結され、該コントローラーにマイクロプロセッサーを備え、該マイクロプロセッサーに圧力限界値と温度限界値とを設定する。【選択図】  図１
0003162190.tif 000002
【実用新案登録請求の範囲】
【請求項１】
冷媒回収装置の電子計器であって、
前記冷媒回収装置に冷媒輸送パイピングを設け、前記冷媒輸送パイピングに入力パイプと出力をそれぞれ設け、前記冷媒回収装置は電子計器に連結され、前記電子計器にコントローラーと、液晶ディスプレイと圧力センサーとが設けられ、
前記コントローラーはマイクロプロセッサーであり、かつ前記マイクロプロセッサーに圧力限界値が設定されており、
前記液晶ディスプレイを前記コントローラーに連結され、前記コントローラーより転送される冷媒回収装置の状態が表示され、
前記圧力センサーは前記コントローラーに連結され、前記圧力センサーに入力パイプ圧力センサーと前記出力パイプ圧力センサーが設けられ、前記入力パイプ圧力センサーは前記冷媒回収装置の前記入力パイプの圧力を検出でき、前記出力パイプ圧力センサーは冷媒回収装置の前記出力パイプの圧力を検出できることを特徴とする冷媒回収装置の電子計器。
【請求項２】
前記マイクロプロセッサーに設定される圧力限界値は高圧限界値と負圧限界値であることを特徴とする請求項１記載の冷媒回収装置の電子計器。
【請求項３】
前記冷媒回収装置に圧縮機パイピングと冷却器パイピングとを設け、前記コントローラーに温度センサーに連結され、前記温度センサーは入力パイプ温度センサーと、出力パイプ温度センサーと、圧縮機パイピング温度センサーと冷却器パイピング温度センサーとを含み、前記入力パイプ温度センサーによって前記入力パイプの温度を、前記出力パイプ温度センサーによって前記出力パイプの温度を、前記冷却器パイピング温度センサーによって前記冷却器パイピングの温度をそれぞれ検出することを特徴とする請求項１記載の冷媒回収装置の電子計器。
【考案の詳細な説明】
【技術分野】
【０００１】
本考案は一種の冷媒回収装置の電子計器に関し、特にシステム主機から冷媒を精確に回収できる冷媒回収装置に関する。
【背景技術】
【０００２】
冷媒回収装置は主にシステム主機（たとえば、一般の室内空調装置、ビルの集中空調装置、車両空調装置）の冷媒を取り出し回収タンクに回収させる装置である。従来の冷媒回収装置には高圧の機械式圧力安全スイッチと、真空機械式の圧力安全スイッチとを冷媒回収装置の弁座に連結させ、冷媒回収装置の出力または入力圧力が機械式圧力安全スイッチの設定圧力値に達したときに、この圧力スイッチによって冷媒回収装置の稼働を停止させて安全が確保される。
【考案の概要】
【考案が解決しようとする課題】
【０００３】
しかし、圧力スイッチが機械式のため、作動する圧力値の誤差が極めて大きく、システム主機の冷媒の取り出しが不完全になり兼ねない。一方、冷媒回収装置に使用されている圧力スイッチは高価なため、冷媒回収装置のコスト増加のほか冷媒回収装置のパイピング設計が複雑である。
【０００４】
さらに、冷媒回収装置を稼働しているうちに不純な冷媒（システム主機の冷媒）が回収装置内部に流動されるため、パイプに詰まるとアイシング状態によって、冷媒の流動が滞り、冷媒とその取り出しの正確性が影響される。
【課題を解決するための手段】
【０００５】
本考案の主な目的は、電子計器に備えるコントローラーを利用し、冷媒輸送パイプラインの圧力とコントローラーに格納された圧力限界値との比較を行い、冷媒回収装置の稼働中止条件に加味して、冷媒回収装置がシステム主機の冷媒を精確に取り出すようにする。
【０００６】
本考案次の目的は、電子計器に備えるコントローラーを利用し、冷媒輸送パイプラインの温度とコントローラーに格納された温度限界値との比較を行い、冷媒回収装置がシステム主機の冷媒を精確に取り出すようにする。
【０００７】
前記目的を達成するため、本考案の冷媒回収装置の電子計器は主に冷媒輸送パイピングを設け、該冷媒回収装置を電子計器に連結させ、該電子計器にコントローラーを設け、該コントローラーは冷媒回収装置の状態を表示するための液晶ディスプレイ、冷媒輸送パイピングの圧力を検出させるための圧力センサーと、冷媒輸送パイピングの温度を検出するための温度センサーとを設けられ、該コントローラーにマイクロプロセッサーを設け、該マイクロプロセッサーに圧力設定値と温度設定値を格納させる。
【図面の簡単な説明】
【０００８】
【図１】本考案の立体外観図である。
【図２】本考案の冷媒回収装置のブロック図である。
【図３】本考案の電子計器のブロック図である。
【考案を実施するための形態】
【０００９】
図１ないし３を合わせて参照する。図から明らかなように、本考案は主に冷媒回収装置１と電子計器２が設けられている。該冷媒回収装置１に冷媒輸送パイピング１１が設けられ、該冷媒輸送パイピング１１は入力パイプ１１１と出力パイプ１１２とをそれぞれ連結されている。冷媒回収装置１に圧縮機パイピング１２と冷却器パイピング１３とを内設されている。該入力パイプ１１１と該出力パイプ１２は導通または閉鎖を制御するためのスイッチ１４がそれぞれ設けられている。該電子計器２にコントローラー２１が設けられ、該コントローラー２１を液晶ディスプレイ２２、圧力センサー２３、温度センサー２４、入力キー２５と警報装置２６とそれぞれに連結されている。
【００１０】
そのうち、該コントローラー２１はマイクロプロセッサー２１１と、マルチプレクサーと２１２オペレーショナルアンプ２１３とを含む。マイクロプロセッサー２１１に圧力設定値と温度設定値が設定され、かつ圧力値に高圧限界値と負圧（真空）限界値とを設定されている。
【００１１】
該液晶ディスプレイ２２はコントローラー２１の制御によって、コントローラー２１より転送された冷媒回収装置１の現状データを表示できる。
【００１２】
該圧力センサー２３に入力パイプ圧力センサー２３１と出力パイプ圧力センサー２３２が設けられ、該入力パイプ圧力センサー２３１は冷媒回収装置１の入力パイプ１１１の圧力を検出することができ、出力パイプ圧力センサー２３２は冷媒回収装置１の出力パイプ１１２の圧力を検出することができる。
【００１３】
該温度センサー２４は入力パイプ温度センサー２４１、出力パイプ温度センサー２４２、圧縮機パイピング温度センサー２４３と冷却器パイピング温度センサー２４４とを含む。該入力パイプ温度センサー２４１は冷媒回収装置１の入力パイプ１１１の温度を、出力パイプ温度センサー２４２は冷媒回收機１の出力パイプ１１２の温度をそれぞれ検出できる。圧縮機パイピング温度センサー２４３は圧縮機パイピング１２の温度を検出でき、冷却器パイピング温度センサー２４４は冷却器パイピング１３の温度を検出できる。
【００１４】
該入力キー２５は使用者がコントローラー２１を介して、冷媒回収装置１の稼働と、液晶ディスプレイ２２表示モードなど制御に提供される。
【００１５】
該警報装置２６は該コントローラー２１の制御によって、冷媒回収装置１が異常状態または稼働中止されたときに、該警報装置２６より使用者に通知させる。該警報装置２６はブザーまたは光源のいずれであっても良い。
【００１６】
前記の構成により、使用者が冷媒回収装置１を利用しシステム主機の冷媒を取り出すとき、まず該冷媒回収装置１のスイッチ１４を入力パイプ１１１と出力パイプ１１２が導通しない状態に切り換えて、該入力パイプ１１１をシステム主機に、該出力パイプ１１２を冷媒タンクにそれぞれ接続させる。このとき、使用者は入力キー２５を操作し該冷媒回収装置１を起動させ、スイッチ１４を入力パイプ１１１と出力パイプ１１２を導通状態に切り換える。冷媒回収装置１が起動されると、システム主機の冷媒は冷媒回収装置１によって取り出される。冷媒は入力パイプ１１１から冷媒回収装置１に入り、圧縮機パイピング１２と冷却器パイピング１３を通過して、出力パイプ１１２より冷媒タンクに格納される。
【００１７】
一方、冷媒回収装置１はシステム主機の冷媒を取り出すとき、該圧力センサー２３に設けられた入力パイプ圧力センサー２３１と出力パイプ圧力センサー２３２より冷媒回収装置１の入力パイプ１１１と出力パイプ１１２の圧力を引き続きに検出させ、検出された圧力値はコントローラー２１に転送される。このとき、該コントローラー２１はマイクロプロセッサー２１１で設定された圧力限界値と、コントローラー２１が受信された圧力値との比較が実行される。入力パイプ１１１はシステム主機の冷媒を取り出しているうちに、システム主機の圧力は冷媒の取り出しにつれて次第に降下され、負圧の真空状態が形成される。よって、コントローラー２１に入力パイプ圧力センサー２３１より転送された圧力値を受信されると、マイクロプロセッサー２１１に設定された負圧限界値との比較が実行される。
【００１８】
入力パイプ圧力センサー２３１より転送された圧力値が負圧限界値に等しいまたは低いとき、システム主機の冷媒を全部取り出されたことを意味し、液晶ディスプレイ２２に異常の警報が表示され、コントローラー２１によって警報装置２６を作動させ使用者に通知し処置を促すと共に、コントローラー２１の制御により冷媒回収装置１の稼働を中止させる。
【００１９】
冷媒を出力パイプ１１２より冷媒タンクに格納させると、冷媒タンクの圧力が次第に上昇されるため、コントローラー２１が出力パイプ圧力センサー２３２から圧力値が転送されたとき、マイクロプロセッサー２１１で設定された高圧限界値との比較が実行される。
【００２０】
出力パイプ圧力センサー２３２より転送された圧力値が高圧限界値に等しいまたは高いときに、冷媒タンクに格納された冷媒が設定された冷媒の量に達したことを示す。このとき、コントローラー２１は冷媒回収装置１の稼働中止制御（冷媒回収装置１の稼働を中止されなければ、冷媒タンクが破裂される、または回収された冷媒は安全弁より溢れて空気が汚染される）が行われ、液晶ディスプレイ２２にて異常警報が表示されると共に、コントローラー２１によって警報装置２６を作動させ使用者に通知し使用者に処置させる。
【００２１】
使用者が冷媒タンクを交換された後、該出力パイプ圧力センサー２３２は高圧限界値より低い圧力が検出されるため、コントローラー２１は冷媒回収装置１を再び稼働させ、システム主機の冷媒の引き続きに取り出せる。
【００２２】
さらに、使用者は冷媒タンクが交換された後に、キー操作で冷媒回收機１の稼働を制御することができる。冷媒回収装置１が稼働すると同時に該温度センサー２４の入力パイプ温度センサー２４１と、出力パイプ温度センサー２４２と、圧縮機パイピング温度センサー２４３および冷却器パイピング温度センサー２４４により、冷媒回収装置１の入力パイプ１１１、出力パイプ１１２、圧縮機パイピング１２と冷却器パイピング１３の温度検出が引き続きに実行され、検出された温度値をコントローラー２１に転送される。このとき、コントローラー２１はマイクロプロセッサー２１１で設定された温度設定値をコントローラー２１で受信された温度値との比較が実行される。
【００２３】
入力パイプ温度センサー２４１、出力パイプ温度センサー２４２、圧縮機パイピング温度センサー２４３または冷却器パイピング温度センサー２４４によって検出された温度値に等しいまたは低いときは、パイプがアイシング状態で冷媒に伝送の滞りが発生していることを示す。よって、温度センサー２４によって検出された温度値が温度限界値に等しいまたは低いときに、コントローラー２１より冷媒回収装置１の稼働を停止させ、液晶ディスプレイ２２に異常状態を表示させる共に、コントローラー２１より警報装置２６を作動させ、使用者に通知させる。
【００２４】
その後、アイシング状態が使用者によって解決され、パイピング温度が正常に戻される。温度センサー２４より検出された温度値が温度設定値より高くなったときに、コントローラー２１は冷媒回収装置１の稼働を再開させる。
【００２５】
さらに、該マイクロプロセッサー２１１はさらに温度異常設定値を設け、圧縮機パイピング１２と冷却器パイピング１３に破裂または冷媒が外部に漏れがあるとき、圧縮機パイピング温度センサー２４３と冷却器パイピング温度センサー２４４で検出された温度異常設定値に達した場合は、コントローラー２１より冷媒回収装置１の稼働を停止させ、液晶ディスプレイ２２に異常報告が表示される共に、コントローラー２１より警報装置２６を作動させ、使用者に通知して処置に提供する。
【００２６】
本考案は従来技術の不足と欠点を解決する主な技術手段は、本考案は電子計器２の圧力センサー２３と温度センサー２４の利用により冷媒の取り出し状態を検出した上、コントローラー２１で設定された圧力限界値と温度限界値を判断の条件として、冷媒回収装置１を状態に従って稼働または停止させる。使用者の使用に便利を提供できるほか、従来技術による高圧機械式圧力安全スイッチの使用を省略でき、冷媒回収装置１のコストと体積を軽減できる。
【符号の説明】
【００２７】
１      冷媒回収装置
１１    冷媒輸送パイピング
１１１  入力パイプ
１１２  出力パイプ
１２    圧縮機パイピング
１３    冷却器パイピング
１４    スイッチ
２      電子計器
２１    コントローラー
２１１  マイクロプロセッサー
２１２  マルチプレクサー
２１３  オペレーショナルアンプ
２２    液晶ディスプレイ
２３    圧力センサー
２３１  入力パイプ圧力センサー
２３２  出力圧力センサー
２４    温度センサー
２４１  入力パイプ温度センサー
２４２  出力パイプ温度センサー
２４３  圧縮機パイピング温度センサー
２４４  冷却器パイピング温度センサー
２５    入力キー
２６    警報装置
【図１】
0003162190.tif 000003
【図２】
0003162190.tif 000004
【図３】
0003162190.tif 000005
【手続補正書】
【提出日】平成22年6月18日(2010.6.18)
【手続補正１】
【補正対象書類名】実用新案登録請求の範囲
【補正対象項目名】請求項１
【補正方法】変更
【補正の内容】
【請求項１】
冷媒回収装置の電子計器であって、
前記冷媒回収装置に冷媒輸送パイピングを設け、前記冷媒輸送パイピングに入力パイプと出力パイプをそれぞれ設け、前記冷媒回収装置は電子計器に連結され、前記電子計器にコントローラーと、液晶ディスプレイと圧力センサーとが設けられ、
前記コントローラーはマイクロプロセッサーであり、かつ前記マイクロプロセッサーに圧力限界値が設定されており、
前記液晶ディスプレイを前記コントローラーに連結され、前記コントローラーより転送される冷媒回収装置の状態が表示され、
前記圧力センサーは前記コントローラーに連結され、前記圧力センサーに入力パイプ圧力センサーと出力パイプ圧力センサーが設けられ、前記入力パイプ圧力センサーは前記冷媒回収装置の前記入力パイプの圧力を検出でき、前記出力パイプ圧力センサーは冷媒回収装置の前記出力パイプの圧力を検出できることを特徴とする冷媒回収装置の電子計器。